(57)【要約】      （修正有）【課題】前後２つの部分側枠材に分割された左、右側枠材を簡単かつ堅固に連結でき、小さく梱包できて保管スペースのコンパクト化、輸送コストの削減が図れる組立式２段ベッドおよびその梱包物を提供する。【解決手段】組立式２段ベッド１０は、長尺な左、右側枠材２１、２２を長さが各半分の左前、後側部分枠材２６、２７と右前、後側部分枠材２８、２９とから構成するなどしたため、小さく梱包でき、段ボール箱の保管場所のコンパクト化や輸送コストを削減できる。ベッド組立時、隣接する左前、後側部分枠材２６、２７の連結部分と右前、後側部分枠材２８、２９の連結部分に、断面コの字状の連結枠材３０、３０Ａを一側方から外装するため、各前後２つの部分側枠材に分割された左、右側枠材２１、２２を、各々簡単かつ堅固に組み立てできる。【選択図】図１
0003229931.tif 000002
【実用新案登録請求の範囲】
【請求項１】
上段ベッド部と、下段ベッド部と、これらの間に設けられる梯子とを備えた組立式２段ベッドにおいて、
前記上段ベッド部と前記下段ベッド部とは、角柱又は角パイプからなる左側枠材、角柱又は角パイプからなる右側枠材、ヘッド側枠材およびフット側枠材を矩形枠状に組んだ支持枠と、この支持枠の内側空間に配される床部材と、前記上段ベッド部と前記下段ベッド部との四隅に通される４本の支脚とをそれぞれ有し、
前記各左側枠材は、それぞれをベッド長さ方向に分割した複数の左側部分枠材からなり、
前記各右側枠材は、それぞれをベッド長さ方向に分割した複数の右側部分枠材からなり、
隣接する前記左側部分枠材同士の連結部分、および、隣接する前記右側部分枠材同士の連結部分に、それぞれ一側方から外装される断面コの字状の複数の連結枠材を具備したことを特徴とする組立式２段ベッド。
【請求項２】
前記各左側部分枠材は、対応する左側枠材をベッド長さ方向の中間部でそれぞれ２分割したもので、
前記各右側部分枠材は、対応する右側枠材をベッド長さ方向の中間部でそれぞれ２分割したもので、
前記上段ベッド部に用いられる前記各連結枠材は、それぞれ落下防止用のサイドガードが連結されたものであることを特徴とする請求項１に記載の組立式２段ベッド。
【請求項３】
上段ベッド部と、下段ベッド部と、これらの間に設けられる梯子とを梱包箱に収納した組立式２段ベッド梱包物において、
前記上段ベッド部と前記下段ベッド部とは、角柱又は角パイプからなる左側枠材、角柱又は角パイプからなる右側枠材、ヘッド側枠材およびフット側枠材を矩形枠状に組んだ支持枠と、この支持枠の内側空間に配される床部材と、前記上段ベッド部と前記下段ベッド部との四隅に通される４本の支脚とをそれぞれ有し、
前記各左側枠材は、それぞれをベッド長さ方向に分割した複数の左側部分枠材からなり、
前記各右側枠材は、それぞれをベッド長さ方向に分割した複数の右側部分枠材からなり、
前記各床部材は、それぞれをベッド長さ方向に分割した複数の部分床部材からなり、
前記各支脚は、それぞれを高さ方向に分割した複数の部分支脚からなり、
隣接する前記左側部分枠材同士の連結部分、および、隣接する前記右側部分枠材同士の連結部分に、それぞれ一側方から外装される断面コの字状の複数の連結枠材を具備し、
前記梱包箱は、前記各左側枠材が前記各左側部分枠材に、前記右側枠材が前記各右側部分枠材に、前記床部材が前記各部分床部材に、前記各支脚が前記各部分支脚にそれぞれ分解した状態で収納されるものであることを特徴とする組立式２段ベッド梱包物。
【請求項４】
前記各左側部分枠材は、対応する左側枠材をベッド長さ方向の中間部でそれぞれ２分割したもので、
前記各右側部分枠材は、対応する右側枠材をベッド長さ方向の中間部でそれぞれ２分割したもので、
前記上段ベッド部に用いられる前記各連結枠材は、それぞれ落下防止用のサイドガードが連結されたものであることを特徴とする請求項３に記載の組立式２段ベッド梱包物。
【請求項５】
前記梱包箱は、各辺の最大長さが１５０ｃｍ以下の角箱で、
前記組立式２段ベッドを構成する、前記各左側部分枠材、前記各右側部分枠材、前記各部分床部材および前記各部分支脚を含む全ての部品は、前記梱包箱に収納可能なサイズのものであることを特徴とする請求項３又は請求項４に記載の組立式２段ベッド梱包物。
【考案の詳細な説明】
【技術分野】
【０００１】
この考案は、上段ベッド部と下段ベッド部とを備えた組立式２段ベッドおよびその梱包物に関する。
【背景技術】
【０００２】
従前より、例えば、社員寮、学生寮、民泊施設などのスペースを有効活用するため、上段ベッド部と下段ベッド部と梯子とを備えた組立式２段パイプベッドが知られている。このうち、上，下段ベッド部は、長尺な左右一対の側枠材、ヘッド側枠材、フット側枠材を矩形枠状に組んだ支持枠と、複数分割される床部材と、上、下段ベッド部の四隅に通される４本の支脚とを有している。
【０００３】
組立式２段ベッドの工場出荷時には、これらの部品を大小複数の段ボール箱に梱包し、例えば、トラックや列車などを利用して出荷先まで輸送していた。
【先行技術文献】
【特許文献】
【０００４】
【非特許文献１】［令和２年９月２２日検索］、インターネット＜ＵＲＬ：ｈｔｔｐｓ：／／ｉｔｅｍ．ｒａｋｕｔｅｎ．ｃｏ．ｊｐ／ｇｅｋｉｙａｓｕ−ｋａｇｕ００１／０１１０５０１５５／？ｓｃｉｄ＝ａｆ＿ｐｃ＿ｅｔｃ＆ｓｃ２ｉｄ＝ａｆ＿１０１＿０＿０＞
【考案の開示】
【考案が解決しようとする課題】
【０００５】
しかしながら、従来の組立式２段ベッドは、上,下段ベッド部の左，右側枠材が、２ｍ前後の長尺物であったため、工場より出荷される組立式２段ベッド梱包物が大型化してしまい、取り扱いが面倒で、輸送コストも高騰していた。
【０００６】
そこで、考案者は鋭意研究の結果、上,下段ベッド部のうち、長尺部品の左，右側枠材を、それぞれベッド長さ方向に分割した複数の左側部分枠材および複数の右側部分枠材とから構成するとともに、隣接する左側部分枠材同士の連結部分、および、隣接する右側部分枠材同士の連結部分に、それぞれ断面コの字状の連結枠材を一側方から外装（外嵌）して連結するように構成すれば、これらの課題はすべて解消できることを知見し、本考案を完成させた。
【０００７】
本考案は、このような問題点に鑑みてなされたもので、複数の左，右側部分枠材に分割された左，右側枠材を、簡単かつ堅固に連結して組み立てることができるとともに、組立式２段ベッドを従来品より小さく梱包することが可能で、これにより、梱包物の保管スペースのコンパクト化および輸送コストの削減も図れる組立式２段ベッドおよびその梱包物を提供することを目的としている。
【課題を解決するための手段】
【０００８】
請求項１に記載の考案は、上段ベッド部と、下段ベッド部と、これらの間に設けられる梯子とを備えた組立式２段ベッドにおいて、前記上段ベッド部と前記下段ベッド部とは、角柱又は角パイプからなる左側枠材、角柱又は角パイプからなる右側枠材、ヘッド側枠材およびフット側枠材を矩形枠状に組んだ支持枠と、この支持枠の内側空間に配される床部材と、前記上段ベッド部と前記下段ベッド部との四隅に通される４本の支脚とをそれぞれ有し、前記各左側枠材は、それぞれをベッド長さ方向に分割した複数の左側部分枠材からなり、前記各右側枠材は、それぞれをベッド長さ方向に分割した複数の右側部分枠材からなり、隣接する前記左側部分枠材同士の連結部分、および、隣接する前記右側部分枠材同士の連結部分に、それぞれ一側方から外装される断面コの字状の複数の連結枠材を具備したことを特徴とする組立式２段ベッドである。
【０００９】
“組立式２段ベッド”とは、例えば、社員寮、学生寮、民泊施設などのスペースを有効活用するため、組み立て分解が可能な２段式のベッドである。
ここでいう組立式２段ベッドは、上段ベッド部および下段ベッド部の各床部材の上面に、マットレス（布団を含む）が敷かれていない、いわゆる２段式のボトム（ベッド本体）をいうものとする。
【００１０】
上段ベッド部および下段ベッド部のベッドサイズは任意である。例えば、シングルサイズ、セミダブルサイズ、ダブルサイズなどでもよい。
ベッドを主に構成する各支持枠、各床部材、各支脚および梯子などの素材は任意である。例えば、各種の金属（鉄、ステンレス、アルミニウム合金など）、各種の木（パイン、ブナ、カエデ、カバなど）、各種のプラスチック（ＦＲＰ樹脂（繊維強化プラスチック）、ＡＢＳ樹脂、ポリ塩化ビニル樹脂、ポリスチレン樹脂など）といったものを採用することができる。
【００１１】
このうち、床部材としては、例えば、金網状のもの、板状のもの、簀の子状のものなどを採用することができる。
また、床部材は、ベッド長さ方向などに分割された複数の部分床部材から構成してもよい（ベッド長さ方向だけでなくベッド幅方向にも分割してもよい）。
各支脚は、高さ方向に複数の部分支脚にそれぞれ分割してもよい。各々の分割数は任意である。例えば、２つずつでも４つずつでもよい。
【００１２】
梯子の構造（形態、形状）は任意である。また、梯子は、上段ベッド部および下段ベッド部に対して、垂直状態又は所定の傾斜状態で固定してもよい。さらに、梯子を、上段ベッド部および下段ベッド部に着脱自在に取り付けてもよい。
また、梯子は、これを高さ方向に分割して複数の部分梯子（例えば、上側部分梯子と下側部分梯子）から構成してもよい。
【００１３】
各左，右側枠材のベッド長さ方向への分割数は任意である。例えば、２〜５分割ずつでもよい。
各左，右側部分枠材のサイズ（長さを含む）は、同一でも異なってもよい。
各連結枠材の素材は限定されない。例えば、各種の金属、各種のプラスチックなどを採用することができる。
各連結枠材は、隣接する左，右側部分枠材同士の連結部分に対して、ベッドの外側（外方）から外装（外嵌、外挿）しても、ベッドの内側（内方）から外装（内嵌、内挿）してもよい。
【００１４】
なお、ここでいう“外装”とは、隣接する左，右側部分枠材同士の連結部分を、上,下段ベッド部が使用できるように、連結枠材を用いて連結することをいう。したがって、各連結部材と、対応する左，右側部分枠材同士の連結部分とは、例えば、ボルトナットにより堅固に固定してもよい。
各連結枠材の長さは、少なくとも隣接する左，右側部分枠材同士の連結側の端部の長さを有していれば限定されない。
【００１５】
請求項２に記載の考案は、前記各左側部分枠材は、対応する左側枠材をベッド長さ方向の中間部でそれぞれ２分割したもので、前記各右側部分枠材は、対応する右側枠材をベッド長さ方向の中間部でそれぞれ２分割したもので、前記上段ベッド部に用いられる前記各連結枠材は、それぞれ落下防止用のサイドガードが連結されたものであることを特徴とする請求項１に記載の組立式２段ベッドである。
【００１６】
各サイドガードの素材は限定されない。例えば、各種の金属、各種のプラスチック、各種の木などを採用することができる。
各サイドガードの形状も任意である。例えば、板状でも柵状でもよい。
各サイドガードと各連結枠材との連結は、各サイドガードの少なくとも一部が、対応する連結枠材にそれぞれ連結されていればよい。
【００１７】
請求項３に記載の考案は、上段ベッド部と、下段ベッド部と、これらの間に設けられる梯子とを梱包箱に収納した組立式２段ベッド梱包物において、前記上段ベッド部と前記下段ベッド部とは、角柱又は角パイプからなる左側枠材、角柱又は角パイプからなる右側枠材、ヘッド側枠材およびフット側枠材を矩形枠状に組んだ支持枠と、この支持枠の内側空間に配される床部材と、前記上段ベッド部と前記下段ベッド部との四隅に通される４本の支脚とをそれぞれ有し、前記各左側枠材は、それぞれをベッド長さ方向に分割した複数の左側部分枠材からなり、前記各右側枠材は、それぞれをベッド長さ方向に分割した複数の右側部分枠材からなり、前記各床部材は、それぞれをベッド長さ方向に分割した複数の部分床部材からなり、前記各支脚は、それぞれを高さ方向に分割した複数の部分支脚からなり、隣接する前記左側部分枠材同士の連結部分、および、隣接する前記右側部分枠材同士の連結部分に、それぞれ一側方から外装される断面コの字状の複数の連結枠材を具備し、前記梱包箱は、前記各左側枠材が前記各左側部分枠材に、前記右側枠材が前記各右側部分枠材に、前記床部材が前記各部分床部材に、前記各支脚が前記各部分支脚にそれぞれ分解した状態で収納されるものであることを特徴とする組立式２段ベッド梱包物である。
【００１８】
床部材を構成する部分床部材の形状は任意である。例えば、正方形、長方形などでもよい。
部分床部材の使用数は２つ以上であれば任意である。
梱包箱の素材は任意であるものの、一般的には段ボールである。
梱包箱の使用数は１つでも、２つ以上でもよい。
梱包箱のサイズは任意である。ただし、ベッド部品のうちで各々長尺部材（大判部材）となる、各左側枠材、各床部材および各支脚を、それぞれ各左側部分枠材、各右側部分枠材、各部分床部材および各部分支脚に分解した状態で収納することができる最小サイズが好ましい。具体的には、梱包箱の各辺の最大長さが１５０ｃｍ以下、好ましくは８０ｃｍ〜１２０ｃｍである。
【００１９】
請求項４に記載の考案は、前記各左側部分枠材は、対応する左側枠材をベッド長さ方向の中間部でそれぞれ２分割したもので、前記各右側部分枠材は、対応する右側枠材をベッド長さ方向の中間部でそれぞれ２分割したもので、前記上段ベッド部に用いられる前記各連結枠材は、それぞれ落下防止用のサイドガードが連結されたものであることを特徴とする請求項３に記載の組立式２段ベッド梱包物である。
【００２０】
請求項５に記載の考案は、前記梱包箱は、各辺の最大長さが１５０ｃｍ以下の角箱で、前記組立式２段ベッドを構成する、前記各左側部分枠材、前記各右側部分枠材、前記各部分床部材および前記各部分支脚を含む全ての部品は、前記梱包箱に収納可能なサイズのものであることを特徴とする請求項３又は請求項４に記載の組立式２段ベッド梱包物である。
【００２１】
梱包箱は、保管スペースや輸送スペースが小さくなるように、全ての辺の長さが１５０ｃｍ以下となる角箱としている。
梱包箱の各辺の最大長さが１５０ｃｍを超えれば、従来梱包物とのサイズの違いが顕著ではなくなるおそれがある。
【考案の効果】
【００２２】
請求項１（請求項３も同様）に記載の本考案によれば、上,下段ベッド部の構成体うち、長尺部品となる各左，右側枠材を、各ベッド長さ方向に複数の左側部分枠材と複数の右側部分枠材とに分割している。そのため、組立式２段ベッドを従来品より小さく梱包することが可能で、この梱包物の保管スペースのコンパクト化や、輸送コストの削減を図ることもできる。
【００２３】
ベッド組立時には、各隣接する左側部分枠材同士の連結部分、および、各隣接する右側部分枠材同士の連結部分に、それぞれ断面コの字状の連結枠材を一側方から外装して連結する。これにより、各左側枠材および各右側枠材がそれぞれ組み立てられる。
そのため、例えば、左，右側部分枠材の対応する端部同士の正確な差し込み（２アクション）が必要となる管状の連結部材、又は、連結作業中の位置ずれや連結強度不足が懸念される平板状の連結部材を採用して、隣接する左側部分枠材同士や隣接する右側部分枠材同士を連結する場合に比べて、作業が簡単でありながら堅固にこれらを連結することができる。
【００２４】
特に、請求項２又は請求項４に記載の本考案によれば、各左，右側部分枠材を、そのベッド長さ方向の中間部でそれぞれ２分割したため、組立式２段ベッドの組み立て分解が容易となる。
また、上段ベッド部用の各連結枠材には、それぞれ落下防止用のサイドガードを設けている。そのため、就寝時、例えば使用者が寝返りをした際などに、あやまって上段ベッド部から落下するのを防止できる。
【００２５】
また、請求項５に記載の本考案によれば、梱包箱の各辺の最大長さを１５０ｃｍ以下としたため、従来品（梱包物）とのサイズの違いが顕著となる。
【図面の簡単な説明】
【００２６】
【図１】本考案の実施例１に係る組立式２段ベッドの全体斜視図である。
【図２】本考案の実施例１に係る組立式２段ベッドの部品を示す平面図である。
【図３】本考案の実施例１に係る組立式２段ベッドの上段ベッド部の左側枠材の組み立て作業状態を示す要部拡大斜視図である。
【図４】図３のサイドガードを省略した要部拡大縦断面図である。
【図５】本考案の実施例１に係る組立式２段ベッドの下段ベッド部の左側枠材の組み立て作業状態を示す要部拡大斜視図である。
【図６】本考案の実施例１に係る組立式２段ベッド梱包物の全体斜視図である。
【考案を実施するための形態】
【００２７】
以下、この考案の実施例を具体的に説明する。ここでは、社員寮用の組立式２段ベッド（シングルタイプ）を例とする。なお、説明の都合上、２段ベッドのヘッド方向をＸ１方向、そのフット方向をＸ２方向、その左方向をＹ１方向、その右方向をＹ２方向、上方はし向をＺ１方向、下方向をＺ２方向とする。
【実施例】
【００２８】
図１において、１０は本考案の実施例１に係る組立式２段ベッド（以下、単に２段ベッド１０という場合がある）で、この２段ベッド１０は、それぞれＸ１−Ｘ２方向に長い矩形状の上段ベッド部１１と下段ベッド部１２との間に、Ｚ１−Ｚ２方向に延びる梯子１３が固定されたものである。これらは金属パイプ製である。
この２段ベッド１０のサイズは、Ｘ１−Ｘ２方向の長さが２０４ｍｍ、Ｙ１−Ｙ２方向の長さが１０４ｍｍ、Ｚ１−Ｚ２方向の高さが１５５ｍｍである。
【００２９】
以下、これらの構成体を具体的に説明する。
なお、下段ベッド部１２は、この上段ベッド部１１と基本的な構造が同じである。そのため、ここでは主に上段ベッド部１１について説明し、その後、下段ベッド部１２について補足する。また、梯子１３は、上、下段ベッド部１１，１２のＸ２側の面（フット側面）のうち、Ｙ１−Ｙ２方向の中間部間に垂直状態で固定されている。この梯子１３は、長尺な上側部分梯子３５Ａと短尺な下側部分梯子３５Ｂとから構成されている。なお、梯子１３は、
【００３０】
図１および図２に示すように、上段ベッド部１１は、図示しないマットレスが載置されるＸ１−Ｘ２方向に長い矩形ネット状の床部材１４と、これを支持する支持枠１５と、ベッドの四隅に配された支脚Ｐの各上部である４本の上側部分支脚（部分支脚）１６とを有している。これらは、隣接するもの同士がそれぞれボルト連結されている。
床部材１４は、これをＸ１−Ｘ２方向（ベッド長さ方向）に等分割した４つの部分床部材１７からなる。各部分床部材１７は、それぞれ丸パイプ製のＹ１−Ｙ２方向に長い矩形状の床材枠１８を有している。各床材枠１８の内側空間は、それぞれ２本の仕切りパイプ１９によって３等分割されている。また、各床材枠１８の下側には、それぞれ金網２０が展張されている。各部分床部材１７のサイズは、Ｘ１−Ｘ２方向の長さ４８ｃｍ、Ｙ１−Ｙ２方向の長さ９５ｃｍ、高さ３ｃｍである。
【００３１】
支持枠１５は、それぞれが角パイプからなる左側枠材２１と、右側枠材２２と、ヘッド側枠材２３と、フット側枠材２４とを、平面視して矩形枠状にボルト連結したものである。左，右側枠材２１，２２のＸ１−Ｘ２方向の長さは１９５ｃｍである。また、ヘッド側枠材２３とフット側枠材２４とのＹ１−Ｙ２方向の長さは９５ｃｍである。
このうち、フット側枠材２４の長さ方向の両端部には、外向き略Ｆ字状のパイプ手摺り２５がそれぞれ一体的に立設されている。
【００３２】
また、左側枠材２１は、ベッド長さ方向の中間部で左前側部分枠材（左側部分枠材）２６と左後側部分枠材（左側部分枠材）２７とに２等分割されている。
さらに、右側枠材２２もベッド長さ方向の中間部で右前側部分枠材（右側部分枠材）２８と右後側部分枠材（右側部分枠材）２９とに２等分割されている。
これらの左前側部分枠材２６、左後側部分枠材２７、右前側部分枠材２８および右後側部分枠材２９の各長さは約１００ｃｍで、各部分枠材２６〜２９の内側には、対応する床材枠１８の端部をスポット的にボルト連結するため、複数の受け板片４０がそれぞれ突設されている。
【００３３】
図１、図３および図４に示すように、この上段ベッド部１１において、隣接する左前側部分枠材２６と左後側部分枠材２７との連結部分（突き合わせ部分）、および、隣接する右前側部分枠材２８と右後側部分枠材２９との連結部分には、それぞれベッドの外側方から断面コの字状の連結枠材３０が外装（外嵌）されて、複数本のボルトＢおよびナットＮにより各々連結されている（図３および図４を参照）。なお、ここでのボルトＢ、ナットＮによる各部材同士の連結方向は、垂直方向であるものの、例えば水平方向でもよい。
【００３４】
各連結枠材３０は、各部分枠材２６〜２９の長さと略同じ長さの溝形鋼で、各連結枠材３０の上側には、全長にわたって横長な柵状の落下防止用のサイドガード３１がそれぞれ立設されている。サイドガード３１のサイズは、長さ７４ｃｍ、高さ２４ｃｍ、厚さ３ｃｍである。
なお、各サイドガード３１は、対応する連結枠材３０のみに連結されているが、これに限定されずとも、例えば、サイドガード３１をＸ１方向又はＸ２方向に延長して、その延長部分を、例えば、上側部分支脚１６などの他の部品に固定してもよい。
【００３５】
また、図１に示すように、支持枠１５の四隅には、各上部を、支持枠１５の上面より上方に配置した状態で、４本の上側部分支脚１６がそれぞれボルト連結されている。各上側部分支脚１６の上部付近には、支持枠１５の各角部を下方支持する、合計４枚の三角板片３２が配設されている。
隣接する上側部分支脚１６のうち、ヘッド側の２本の上側部分支脚１６の上端部間には、横長なヘッドフェンス（頭側の柵）３３が、ボルト連結により横架されている。なお、ここではヘッドフェンス３３の下側の横枠が、ヘッド側枠材２３を兼ねている。
【００３６】
次に、図１および図５に示すように、下段ベッド部１２について説明する。上述したように、ここでは上述した上段ベッド部１１の説明から推測しにくい相違点のみを説明する。
図１および図５に示すように、下段ベッド部１２には、隣接する左前側部分枠材２６と左後側部分枠材２７との連結部分、および、隣接する右前側部分枠材２８と右後側部分枠材２９との連結部分に、サイドガード３１を有さない連結枠材３０Ａがそれぞれベッドの外側方から外装された状態で、複数本のボルトにより連結されている。
【００３７】
また、フット側枠材２４の下側には、床部材１４より下方配置される横長なフットフェンス３４が横架されている。フットフェンス３４の中央部には、梯子１３の短尺な下側部分梯子３５Ｂが固定されている。各下側部分梯子３５Ｂのうち、フット側枠材２４より上方に突出した上端部に、金属パイプからなる上側部分梯子３５Ａの左右一対の手摺り枠１３ａの下端部が、それぞれ嵌着されている。なお、これらの手摺り枠１３ａの上端部は、上段ベッド部１１のフット側枠材２４の長さ方向の中間部にそれぞれボルト連結されている。なお、フットフェンス３４の下枠は省略してもよい。
【００３８】
下段ベッド部１２の床部材１４が支持される合計４枚の三角板片３２は、対応する下側部分支脚３６の下部付近に配設されている。
また、下段ベッド部１２のヘッドフェンス３３は、ヘッド側の２本の下側部分支脚３６のうち、各三角板片３２の固定位置より若干上方にボルト連結されている。
さらに、各支脚Ｐの下部をそれぞれ構成する４本の下側部分支脚（部分支脚）３６は、対応する上側部分支脚１６の下端部にそれぞれ嵌入して連結されている。各下側部分支脚３６の高さ（長さ）は７７ｃｍである。一方、各上側部分支脚１６の高さは７８ｃｍである。
また、上，下段ベッド部１１，１２の各左側枠材２１のＸ１−Ｘ２側の端部には、長さ調整機能を有する２本の筋交い３７が交差状態で横架されている。これにより、上，下段ベッド部１２の連結強度が高まる。
【００３９】
上述した全てのベッド部品は、従来品に比べてコンパクトな２個の段ボール箱（梱包箱）３８，３９に分けて収納され、組立式２段ベッド梱包物５０を構成している（図６を参照）。
一方の段ボール箱３８のサイズは、縦１００ｃｍ、横５２ｃｍ、高さ２７ｃｍである。この段ボール箱３８には、４つの部分床部材１７と各４本の上，下側部分支脚１６，３６とが収納されている。
また、他方の段ボール箱３９のサイズは、縦１１３ｃｍ、横５０ｃｍ、高さ２０ｃｍである。この段ボール箱３９には、２段ベッド１０の部品のうち、各分部床部材１７と各上，下側部分支脚１６，３６とを除く残り全て（各筋交い３７を含む）が収納されている。
なお、実施例１の２段ベッド１０の使用方法は一般的なものであるため、ここでは説明を省略する。
【００４０】
以上説明したように、この２段ベッド１０は、上,下段ベッド部１１，１２のうち、それぞれが長尺部品である、左，右側枠材２１，２２を長さが半分になる左前側部分枠材２６と左後側部分枠材２７とから構成し、床部材１４をベッド長さ方向に等分割した４つの部分床部材１７から構成する一方、４本の支脚Ｐをそれぞれ上,下側部分支脚１６，３６から構成したため、組立式２段ベッド１０を従来品より小さく梱包することができる（一般的な従来の段ボール箱のサイズは、長さ１９０ｃｍ以上、幅５０ｃｍ以上、高さ１０ｃｍ以上）。その結果、段ボール箱３８，３９の保管スペースのコンパクト化や、輸送コストの削減を図ることができる。
【００４１】
また、ベッド組立時には、上、下段ベッド部１１，１２において、隣接する左前，後側部分枠材２６，２７の連結部分、および、右前，後側部分枠材２８，２９の連結部分に、対応する断面コの字状の連結枠材３０，３０Ａをベッドの一側方から外装して連結することで、左，右側枠材２１，２２を組み立てる。
【００４２】
その際、図３〜図５に示すように、コの字状をした各連結枠材３０，３０Ａのうち、そのＸ１−Ｘ２方向に長い上板３０ａが、対応する左前，後側部分枠材２６，２７の連結部分の各上板２６ａ，２７ａにそれぞれ当接する一方、各連結枠材３０，３０Ａのうち、そのＸ１−Ｘ２方向に長い中間板３０ｂが、対応する左前，後側部分枠材２６，２７の連結部分の各外側板２６ｂ，２７ｂにそれぞれ当接する。さらには、連結枠材３０，３０Ａのうち、そのＸ１−Ｘ２方向に長い下板３０ｃが、対応する左前，後側部分枠材２６，２７の連結部分の各下板２６ｃ，２７ｃにそれぞれ当接する（右前，後側部分枠材２８，２９の連結部分においても同様）。
【００４３】
これにより、それぞれ前後２つの部分側枠材２６−２７，２８−２９に分割された左，右側枠材２１，２２を、例えば、左，右側部分枠材の対応する端部同士の正確な差し込み（２アクション）が必要となる管状の連結部材、又は、連結作業中の位置ずれや連結強度不足が懸念される平板状の連結部材を用いた場合に比べて、連結作業が簡単で、かつ堅固にこれらを連結して組み立てることができる。
【００４４】
さらには、上段ベッド部用の各連結枠材３０には、落下防止用のサイドガード３１を配設したため、就寝時、例えば使用者が寝返りをした際などに、あやまって上段ベッド部１１から落下するのを防止できる。
また、段ボール箱３８，３９の各辺の最大長さを１１３ｃｍとしたため、従来品の段ボール箱３８，３９とのサイズの違いが顕著となる。
【産業上の利用可能性】
【００４５】
この考案は、上、下段ベッド部、梯子を有した２段ベッドの技術として有用である。
【符号の説明】
【００４６】
１０  組立式２段ベッド
１１  上段ベッド部
１２  下段ベッド部
１３  梯子
１４  床部材
１５  支持枠
１６  上側部分支脚（部分支脚）
１７  部分床部材
２１  左側枠材
２２  右側枠材
２３  ヘッド側枠材
２４  フット側枠材
２６  左前側部分枠材（左側部分枠材）
２７  左後側部分枠材（左側部分枠材）
２８  右前側部分枠材（右側部分枠材）
２９  右後側部分枠材（右側部分枠材）
３０，３０Ａ  連結枠材
３１  サイドガード
３６  下側部分支脚（部分支脚）
３８，３９  梱包物
５０  組立式２段ベッド梱包物
Ｐ  支脚
【図１】
0003229931.tif 000003
【図２】
0003229931.tif 000004
【図３】
0003229931.tif 000005
【図４】
0003229931.tif 000006
【図５】
0003229931.tif 000007
【図６】
0003229931.tif 000008